(57)【要約】【課題】左通風口および右通風を設けた天板の強度を、目立たない構成によって確保することができるビルトイン型ＩＨ調理器を提供すること。【解決手段】天板４では、左通風口２０の縁部、右通風口２１の縁部および中央後加熱コイル９の後側部分（第３部４Ｃ）において強度が低くなるが、補強板３０が、左通風口２０の縁部、右通風口２１の縁部および中央後加熱コイル９の後側部分に亘って連続するように、天板４の下面に取り付けられている。これにより、左通風口２０および右通風口２１を設けた天板４の強度を、目立たない構成によって確保することができる。【選択図】図４
2009152101.tif 000002
【特許請求の範囲】
【請求項１】
キッチンにビルトインされるビルトイン型ＩＨ調理器であって、
被加熱物を収容した容器が載置される天板と、
前記天板の下側に左右に並べて配置され、前記天板の左側に載置された容器を加熱するための左加熱コイル、および、前記天板の右側に載置された容器を加熱するための右加熱コイルと、
前記天板の下側において、前記左加熱コイルおよび前記右加熱コイルの間で、かつ、前記左加熱コイルおよび前記右加熱コイルの後側に配置され、前記天板の後側中央に載置された容器を加熱するための中央後加熱体と、
前記中央後加熱体を左右から挟むように、前記天板の左側後縁部に切欠き形成された左通風口、および、前記天板の右側後縁部に切欠き形成された右通風口と、
前記左通風口および前記右通風口のうちのいずれか一方から冷却用の外気を吸い込み、冷却に寄与した後の空気をいずれか他方から排出させるための送風手段と、
前記左通風口を通風可能にカバーする左カバーと、
前記右通風口を通風可能にカバーする右カバーと、
前記天板における前記左通風口の縁部、前記天板における前記右通風口の縁部、および、前記天板における前記中央後加熱体の後側部分に亘って連続するように、前記天板の下面に取り付けられており、前記中央後加熱体が生じた熱を、前記中央後加熱体の後側に相当する部分で受けて、前記左通風口の縁部および前記右通風口の縁部へ伝えることのできる熱伝導材で形成された天板補強体と、
を含むことを特徴とする、ビルトイン型ＩＨ調理器。
【請求項２】
キッチンにビルトインされるビルトイン型ＩＨ調理器であって、
被加熱物を収容した容器が載置される天板と、
前記天板の下側に左右に並べて配置され、前記天板の左側に載置された容器を加熱するための左加熱コイル、および、前記天板の右側に載置された容器を加熱するための右加熱コイルと、
前記天板の下側において、前記左加熱コイルおよび前記右加熱コイルの間で、かつ、前記左加熱コイルおよび前記右加熱コイルの後側に配置され、前記天板の後側中央に載置された容器を加熱するための中央後加熱体と、
前記中央後加熱体を左右から挟むように、前記天板の左側後縁部に切欠き形成された左通風口、および、前記天板の右側後縁部に切欠き形成された右通風口と、
前記左通風口および前記右通風口のうちのいずれか一方から冷却用の外気を吸い込み、冷却に寄与した後の空気をいずれか他方から排出させるための送風手段と、
前記左通風口を通風可能にカバーする左カバーと、
前記右通風口を通風可能にカバーする右カバーと、
前記天板における前記左通風口の縁部、前記天板における前記右通風口の縁部、および、前記天板における前記中央後加熱体の後側部分に亘って連続するように、前記天板の下面に取り付けられた天板補強体と、
を含むことを特徴とする、ビルトイン型ＩＨ調理器。
【請求項３】
前記左通風口および前記右通風口は、前記天板を貫通する貫通穴であって、
前記天板補強体は、前記左通風口および前記右通風口のそれぞれを、全ての周縁に亘って取り囲むように、前記天板の下面に取り付けられていることを特徴とする、請求項１または２記載のビルトイン型ＩＨ調理器。
【請求項４】
前記天板補強体の前記中央後加熱体に臨む縁には、前記送風手段によって吸い込まれた冷却用の空気を前記中央後加熱体に導くために下方屈曲部が備えられていることを特徴とする、請求項１〜３のいずれかに記載のビルトイン型ＩＨ調理器。
【請求項５】
前記天板補強体は、前記天板の後縁部、右縁部、左縁部および前縁部を補強するために、これら各部の下面に連続するように取り付けられる額縁状に形成されており、
前記天板後縁部の下面に取り付けられ、前記中央後加熱体の後側に相当する部分の枠の幅は、前記天板前縁部の下面に取り付けられる枠の幅に比べて幅広であることを特徴とする、請求項１〜４のいずれかに記載のビルトイン型ＩＨ調理器。
【発明の詳細な説明】
【技術分野】
【０００１】
この発明は、キッチンにビルトインされるビルトイン型ＩＨ調理器に関する。
【背景技術】
【０００２】
従来より、キッチンにビルトインされるビルトイン型ＩＨ調理器が知られている。たとえば、特許文献１に記載の誘導加熱調理器は、トッププレート（天板に相当する。）が露出されるようにキッチンキャビネットに組み込まれる。
特許文献１に記載の誘導加熱調理器において、トッププレートの下方には、左右および後方中央に誘導加熱コイルがそれぞれ１つずつ設けられ、誘導加熱コイルの下方には、ロースター（加熱庫に相当する。）が設けられている。そして、トッププレートの後縁部の左右には、吸気口および排気口（左通風口および右通風口に相当する。）がそれぞれ設けられている。吸気口では、誘導加熱調理器内を冷却するための冷却空気が吸入され、排気口では、ロースター内の熱気および煙が排出される。
【特許文献１】特開２００２−３９５４６号公報
【発明の開示】
【発明が解決しようとする課題】
【０００３】
特許文献１に記載の誘導加熱調理器のトッププレートでは、吸気口および排気口周辺の部分（吸気口と排気口との間の部分も含まれる。）において、強度が低い。ここで、トッププレートは、誘導加熱調理器において最も目立つ部分なので、目立たない構成によって、トッププレートにおける吸気口および排気口周辺の部分の強度を確保する必要がある。
また、トッププレートにおけるスペースの有効利用のため、後方中央の誘導加熱コイル（中央後加熱体に相当する。）は、トッププレートの後縁部になるべく近接するように配置される。そのため、後方中央の誘導加熱コイルを駆動させたときに生じた熱が、トッププレートの後縁部を介して、キッチンにおけるトッププレートの後側部分に漏れ伝わる虞がある。
【０００４】
この発明は、かかる背景のもとになされたもので、左通風口および右通風口を設けた天板の強度を、目立たない構成によって確保することができるビルトイン型ＩＨ調理器を提供することを主たる目的とする。
この発明は、天板の後縁部に近接配置された中央後加熱体を駆動させたときに生じた熱がキッチンにおける天板の後側部分に漏れ伝わることを防止できるビルトイン型ＩＨ調理器を提供することを別の目的とする。
【課題を解決するための手段】
【０００５】
請求項１記載の発明は、キッチンにビルトインされるビルトイン型ＩＨ調理器であって、被加熱物を収容した容器が載置される天板と、前記天板の下側に左右に並べて配置され、前記天板の左側に載置された容器を加熱するための左加熱コイル、および、前記天板の右側に載置された容器を加熱するための右加熱コイルと、前記天板の下側において、前記左加熱コイルおよび前記右加熱コイルの間で、かつ、前記左加熱コイルおよび前記右加熱コイルの後側に配置され、前記天板の後側中央に載置された容器を加熱するための中央後加熱体と、前記中央後加熱体を左右から挟むように、前記天板の左側後縁部に切欠き形成された左通風口、および、前記天板の右側後縁部に切欠き形成された右通風口と、前記左通風口および前記右通風口のうちのいずれか一方から冷却用の外気を吸い込み、冷却に寄与した後の空気をいずれか他方から排出させるための送風手段と、前記左通風口を通風可能にカバーする左カバーと、前記右通風口を通風可能にカバーする右カバーと、前記天板における前記左通風口の縁部、前記天板における前記右通風口の縁部、および、前記天板における前記中央後加熱体の後側部分に亘って連続するように、前記天板の下面に取り付けられており、前記中央後加熱体が生じた熱を、前記中央後加熱体の後側に相当する部分で受けて、前記左通風口の縁部および前記右通風口の縁部へ伝えることのできる熱伝導材で形成された天板補強体と、を含むことを特徴とする、ビルトイン型ＩＨ調理器である。
【０００６】
請求項２記載の発明は、キッチンにビルトインされるビルトイン型ＩＨ調理器であって、被加熱物を収容した容器が載置される天板と、前記天板の下側に左右に並べて配置され、前記天板の左側に載置された容器を加熱するための左加熱コイル、および、前記天板の右側に載置された容器を加熱するための右加熱コイルと、前記天板の下側において、前記左加熱コイルおよび前記右加熱コイルの間で、かつ、前記左加熱コイルおよび前記右加熱コイルの後側に配置され、前記天板の後側中央に載置された容器を加熱するための中央後加熱体と、前記中央後加熱体を左右から挟むように、前記天板の左側後縁部に切欠き形成された左通風口、および、前記天板の右側後縁部に切欠き形成された右通風口と、前記左通風口および前記右通風口のうちのいずれか一方から冷却用の外気を吸い込み、冷却に寄与した後の空気をいずれか他方から排出させるための送風手段と、前記左通風口を通風可能にカバーする左カバーと、前記右通風口を通風可能にカバーする右カバーと、前記天板における前記左通風口の縁部、前記天板における前記右通風口の縁部、および、前記天板における前記中央後加熱体の後側部分に亘って連続するように、前記天板の下面に取り付けられた天板補強体と、を含むことを特徴とする、ビルトイン型ＩＨ調理器である。
【０００７】
請求項３記載の発明は、前記左通風口および前記右通風口は、前記天板を貫通する貫通穴であって、前記天板補強体は、前記左通風口および前記右通風口のそれぞれを、全ての周縁に亘って取り囲むように、前記天板の下面に取り付けられていることを特徴とする、請求項１または２記載のビルトイン型ＩＨ調理器である。
請求項４記載の発明は、前記天板補強体の前記中央後加熱体に臨む縁には、前記送風手段によって吸い込まれた冷却用の空気を前記中央後加熱体に導くために下方屈曲部が備えられていることを特徴とする、請求項１〜３のいずれかに記載のビルトイン型ＩＨ調理器である。
【０００８】
請求項５記載の発明は、前記天板補強体は、前記天板の後縁部、右縁部、左縁部および前縁部を補強するために、これら各部の下面に連続するように取り付けられる額縁状に形成されており、前記天板後縁部の下面に取り付けられ、前記中央後加熱体の後側に相当する部分の枠の幅は、前記天板前縁部の下面に取り付けられる枠の幅に比べて幅広であることを特徴とする、請求項１〜４のいずれかに記載のビルトイン型ＩＨ調理器である。
【発明の効果】
【０００９】
請求項１および２記載の発明によれば、このビルトイン型ＩＨ調理器では、天板の下側に、左加熱コイル、右加熱コイルおよび中央後加熱体が配置されている。そして、天板の左側後縁部には左通風口が切欠き形成され、天板の右側後縁部には右通風口が切欠き形成されている。左通風口および右通風口は、中央後加熱体を左右から挟んでいるので、中央後加熱体は、天板の後縁部に近接配置されている。
【００１０】
このような天板では、左通風口の縁部、右通風口の縁部および中央後加熱体の後側部分において強度が低くなるが、天板補強体が、左通風口の縁部、右通風口の縁部および中央後加熱体の後側部分に亘って連続するように、天板の下面に取り付けられている。これにより、左通風口および右通風口を設けた天板の強度を、目立たない構成によって確保することができる。
【００１１】
そして、請求項１記載の発明によれば、天板補強体は、熱伝導材で形成されているので、中央後加熱体が生じた熱を、中央後加熱体の後側に相当する部分で受けて、左通風口の縁部および右通風口の縁部へ伝え、左通風口および右通風口を通る空気で冷却することができる。そのため、天板の後縁部に近接配置された中央後加熱体を駆動させたときに生じた熱がキッチンにおける天板の後側部分に漏れ伝わることを防止できる。
【００１２】
請求項３記載の発明によれば、左通風口および右通風口が天板を貫通する貫通穴である場合には、天板補強体は、左通風口および右通風口のそれぞれを、全ての周縁に亘って取り囲むように、天板の下面に取り付けられているので、左通風口および右通風口における天板の強度を確実に確保することができる。
請求項４記載の発明によれば、天板補強体の中央後加熱体に臨む縁に備えられた下方屈曲部が冷却用の空気を中央後加熱体に導くので、中央後加熱体を良好に冷却することができる。
【００１３】
請求項５記載の発明によれば、額縁状の天板補強体において、天板後縁部の下面に取り付けられ、中央後加熱体の後側に相当する部分の枠の幅が、天板前縁部の下面に取り付けられる枠の幅に比べて幅広である。そのため、天板後縁部の下面に取り付けられ、中央後加熱体の後側に相当する部分の枠では、中央後加熱体が生じた熱を効果的に受けて左通風口の縁部および右通風口の縁部へ伝えることができる。
【発明を実施するための最良の形態】
【００１４】
以下では、この発明の一実施形態に係る加熱調理器１を、添付図面を参照して詳細に説明する。
＜加熱調理器の概要＞
図１は、加熱調理器１を正面右上から見た斜視図である。図２は、図１に示す加熱調理器１の正断面図である。なお、方向について言及する場合には、図示した方向矢印を参照する（以下同様）。ここで、前側と正面側とは同じであり、後側と背面側とは同じであり、左右方向と幅方向とは同じである。
【００１５】
この実施形態に係る加熱調理器１は、キッチン（図示せず）にビルトインされる、いわゆるビルトイン型の誘導加熱調理器（ＩＨ調理器）である。図１に示すように、加熱調理器１は、その外殻をなすケーシング２を備えている。
ケーシング２は、平面視においてやや幅広の矩形状であり、かつ、上下方向にやや薄いボックス形状である。ケーシング２は、その主たる部分をなすフレーム３と、フレーム３の上面に設けられた天板４とを有している。
【００１６】
フレーム３は、ケーシング２とほぼ同じ大きさで中空のボックス形状であり、その前側上端部は、幅方向全域に亘って、左側面視で略Ｌ字形状に窪んでおり、組み付け部５とされる。組み付け部５には、キッチンに設けられた位置決めバー（図示せず）が嵌まり、これにより、加熱調理器１がキッチンに組み付けられる。
天板４は、ガラス製であって、ケーシング２の上面をなし、平面視で矩形の薄板状に形成されており、フレーム３の上面を覆っている。
【００１７】
天板４の後縁部の左右には、フレーム３の内部に連通する切欠きがそれぞれ設けられており、左側の切欠きは、左通風口２０とされ、右側の切欠きは、右通風口２１とされる。左通風口２０および右通風口２１のそれぞれは、左カバーおよび右カバーとしてのカバー２２によって上から覆われている。カバー２２は、格子状に形成されているので、左通風口２０および右通風口２１は、カバー２２によって覆われた状態であっても、外部に連通している（通気性を有している）。つまり、カバー２２は、左通風口２０および右通風口２１のそれぞれを通風可能にカバーしている。
【００１８】
フレーム３では、天板４の下側かつ組み付け部５の後側の空間が、図２に示す上側空間６とされている。上側空間６では、前方左右と後方中央との合計３箇所の位置に、誘導加熱コイルがそれぞれ配置されており、各誘導加熱コイルは、それぞれの位置に応じて、左加熱コイル７、右加熱コイル８、中央後加熱体としての中央後加熱コイル９（図１参照）と区別される。左加熱コイル７および右加熱コイル８は、左右に並べて配置されている。中央後加熱コイル９は、左加熱コイル７および右加熱コイル８の間で、かつ、左加熱コイル７および右加熱コイル８の後側に配置されている。また、左加熱コイル７および右加熱コイル８の定格出力は、ともに相対的に大きく、たとえば３ｋＷである。これに対し、中央後加熱コイル９の定格出力は、相対的に小さく、たとえば１．６ｋＷである。
【００１９】
なお、図１に示すように、天板４の上面において、左加熱コイル７、右加熱コイル８および中央後加熱コイル９のそれぞれに一致する部分には、容器（金属鍋など）の載置位置を示すための環状の囲み線が、印刷などによって表示されている。各囲み線は、それぞれの位置に応じて、左囲み線１０、右囲み線１１、中央後囲み線１２と区別される。左囲み線１０は、左加熱コイル７に対応し、天板４の左側に位置している。右囲み線１１は、右加熱コイル８に対応し、天板４の右側に位置している。中央後囲み線１２は、中央後加熱コイル９に対応し、天板４の後側中央に位置している。
【００２０】
また、フレーム３では、組み付け部５および上側空間６（図２参照）より下側の空間が、図２に示す下側空間１３とされ、フレーム３の後壁へ向かって前後に延びる遮熱板１４によって、左領域１５と右領域１６とに左右に仕切られている。左領域１５は、左加熱コイル７の下方に形成された空間であり、右領域１６に対して、幅方向に１．５倍程大きい。右領域１６は、右加熱コイル８の下方に形成された空間である。また、遮熱板１４は、例えば金属製であり、左領域１５と右領域１６とを熱的に遮断している。
【００２１】
左領域１５には、ロースター１７が配置されている。ロースター１７内には、ヒータ４９が設けられており、ロースター１７内に収容された被加熱物は、ヒータ４９によって加熱される。
右領域１６には、左加熱コイル７、右加熱コイル８および中央後加熱コイル９を制御する制御回路基板１８と、その制御回路基板１８の後方に位置するファンなどの送風手段としての送風装置１９（図１参照）とが配置されている。
【００２２】
また、図１に示すように、天板４の前端には、天板４に比べて一段上側へ突き出た操作部２４が取り付けられている。操作部２４は、組み付け部５の上方に位置にしている。操作部２４の上面には、操作ダイヤル２３が複数設けられている。操作ダイヤル２３は、左加熱コイル７、右加熱コイル８および中央後加熱コイル９による加熱調理を行うときに操作される。
【００２３】
次に、この加熱調理器１の動作について説明する。
まず、被加熱物が収容された容器を、左囲み線１０、右囲み線１１および中央後囲み線１２において対応する囲み線に収まるように（つまり、左加熱コイル７、右加熱コイル８および中央後加熱コイル９において対応する加熱コイルの上に配置されるように）、天板４の上面に載置する。
【００２４】
そして、操作ダイヤル２３を操作する。操作ダイヤル２３の操作に応じて、左加熱コイル７、右加熱コイル８および中央後加熱コイル９において対応する加熱コイルが、制御回路基板１８によって駆動制御される。これに応じて、容器が、その下方にある加熱コイルの電磁誘導作用によって発熱し、容器に収容された被加熱物の加熱調理が行われる。
このとき、送風装置１９が作動し、外気が右通風口２１からフレーム３内に吸い込まれる。フレーム３内に吸い込まれた外気は、冷却風として、まず、下側空間１３の右領域１６（図２参照）に流入して制御回路基板１８を冷却し、その後、上側空間６に流入して、左加熱コイル７、右加熱コイル８および中央後加熱コイル９を冷却する。そして、これらの加熱コイルを冷却した冷却風（冷却に寄与した後の空気）は、左通風口２０から機外へ排出される。
【００２５】
また、ロースター１７（図２参照）による加熱調理時において、その中で魚などの被加熱物を焼いた時に発生する煙は、左通風口２０から機外へ排出される。
＜天板および補強板＞
図３は、天板４を正面右上から見た斜視図である。図４は、補強板３０の平面図である。図５は、図４に変形例を適用した図である。図６は、天板４を取り外した状態における加熱調理器１の平面図である。図７は、天板４およびカバー２２が取り外された状態にある加熱調理器１を背面右上から見た斜視図であって、一部を断面で示している。
【００２６】
図３に示すように、左通風口２０は、天板４の左側の後縁部をＵ字状に切欠いており、右通風口２１は、天板４の右側の後縁部をＵ字状に切欠いている。詳しくは、左通風口２０および右通風口２１は、平面視において、カバー２２（図１参照）がちょうど嵌り得る略矩形状である。ここで、天板４において、左通風口２０より左側の部分を第１部４Ａとし、右通風口２１より右側の部分を第２部４Ｂとし、左通風口２０と右通風口２１との間の部分を第３部４Ｃとする。図１に示すように、中央後加熱コイル９は、平面視において、左通風口２０および右通風口２１によって左右から挟まれており、第３部４Ｃは、天板４における中央後加熱コイル９の後側部分である。そして、中央後加熱コイル９が天板４の後縁部に近接配置されていることがわかる。
【００２７】
このような天板４では、左通風口２０の縁部、右通風口２１の縁部および中央後加熱コイル９の後側部分（第３部４Ｃ）において強度が低くなる。
図４に示すように、天板４（図示点線部分参照）の裏面（下面であり、図４の紙の厚さ方向における奥側の面）には、天板補強体としての補強板３０が取り付けられている。なお、図４では、説明の便宜上、天板４の外縁を補強板３０の外縁より内側にずらして示している（図５も同様）。また、補強板３０は、たとえばシリコンなどを含有する接着剤によって、天板４に接着されているが、説明の便宜上、天板４と補強板３０とが分離できるように説明することがある。
【００２８】
補強板３０は、たとえば亜鉛メッキ鋼板などの熱伝導材で形成されており、天板４とほぼ同じ大きさを有する略矩形の額縁状である。詳しくは、補強板３０は、幅方向に延びる前縁部３１と、前縁部３１の左端から後側へ延びる左縁部３２と、左縁部３２の後端から幅方向に沿って右側へ延びる後縁部３３と、後縁部３３の右端から前側へ延びて前縁部３１の右端に接続される右縁部３４とを一体的に備えている。そして、補強板３０には、前縁部３１と左縁部３２と後縁部３３と右縁部３４とによって囲まれた開口３５が形成されている。
【００２９】
前縁部３１は、天板４の下面の前縁部（天板前縁部の下面）における幅方向全域に取り付けられている。左縁部３２は、天板４の下面の左縁部における前後方向全域に取り付けられている。後縁部３３は、天板４の下面の後縁部（天板後縁部の下面）における幅方向全域に取り付けられている。右縁部３４は、天板４の下面における右縁部の前後方向全域に取り付けられている。つまり、補強板３０は、天板４の前縁部、左縁部、後縁部および右縁部を補強するために、これらの各部の下面に連続するように取り付けられている。
【００３０】
後縁部３３は、左右方向全域に亘って、前縁部３１よりも前後方向に大きい。換言すれば、額縁状の補強板３０において、天板４の下面の後縁部に取り付けられる枠（後縁部３３）の幅が、天板４の下面の前縁部に取り付けられる枠（前縁部３１）の幅に比べて、左右方向全域に亘って幅広である。そして、後縁部３３の前端縁は、後縁部３３の幅方向略中央において、後側へ窪んでいる。このように後縁部３３において後側へ窪んだ部分を、窪み３６という。窪み３６は、補強板３０の開口３５の一部である。
【００３１】
後縁部３３において、窪み３６より左側の部分を第１補強部３３Ａといい、窪み３６より右側の部分を第２補強部３３Ｂといい、窪み３６より後側の部分（第１補強部３３Ａと第２補強部３３Ｂとの間の部分）を第３補強部３３Ｃという。平面視おいて、第１補強部３３Ａは、天板４の左通風口２０よりも大きく、第２補強部３３Ｂは、天板４の右通風口２１よりも大きい。第１補強部３３Ａには、平面視において左通風口２０より小さい貫通穴が形成され、左貫通穴３７とされる。第２補強部３３Ｂには、平面視において右通風口２１より小さい貫通穴が形成され、右貫通穴３８とされる。なお、上述したように、後縁部３３は、左右方向全域に亘って、前縁部３１よりも前後方向に大きいので、第３補強部３３Ｃは、当然ながら、前縁部３１よりも前後方向に大きい。
【００３２】
後縁部３３では、第１補強部３３Ａが、左貫通穴３７が左通風口２０に対して下から対向するように、天板４における左通風口２０の周縁部に取り付けられている。また、第２補強部３３Ｂが、右貫通穴３８が右通風口２１に対して下から対向するように、天板４における右通風口２１の周縁部に取り付けられている。また、第３補強部３３Ｃが、天板４における左通風口２０と右通風口２１との間の部分（第３部４Ｃ）に取り付けられている。つまり、補強板３０（詳しくは、後縁部３３）は、天板４の後縁部における第１部４Ａ、第２部４Ｂおよび第３部４Ｃに亘って連続するように、天板４の下面に取り付けられている。換言すれば、補強板３０は、天板４における左通風口２０の縁部、天板４における右通風口２１の縁部、および、天板４における中央後加熱コイル９の後側部分（図１参照）に亘って連続するように、天板４の下面に取り付けられている。これにより、左通風口２０および右通風口２１を設けた天板４の強度を、目立たない構成によって確保することができる。
【００３３】
なお、図５に示すように、左通風口２０および右通風口２１は、上述した切欠きでなく、天板４を貫通する貫通穴であってもよい。その場合、補強板３０の後縁部３３では、第１補強部３３Ａが、左通風口２０を全ての周縁に亘って取り囲むように、天板４下面における左通風口２０の周縁部に取り付けられる。同様に、第２補強部３３Ｂが、右通風口２１を全ての周縁に亘って取り囲むように、天板４下面における右通風口２１の周縁部に取り付けられる。つまり、補強板３０は、左通風口２０および右通風口２１のそれぞれを、全ての周縁に亘って取り囲むように、天板４の下面に取り付けられているので、左通風口２０および右通風口２１における天板４の強度を確実に確保することができる。
【００３４】
また、図４および図５を参照して、左通風口２０は、左貫通穴３７を介して、フレーム３の内部（図２参照）に連通しており、右通風口２１は、右貫通穴３８を介して、フレーム３の内部に連通している。
左通風口２０および右通風口２１をそれぞれ覆うカバー２２（図１参照）は、補強板３０の後縁部３３において左通風口２０および右通風口２１にはみ出た部分に、それぞれ載置されている（つまり天板４に載置されていない。）。
【００３５】
そして、図１の状態において天板４だけを取り外すと、図６に示すように、補強板３０と、補強板３０に載置された左右のカバー２２とが露出される。左右のカバー２２と補強板３０との間には、ゴムなどのクッション材３９が介挿ざれており、カバー２２の振動が防止されている。
ここで、上述した左加熱コイル７、右加熱コイル８および中央後加熱コイル９は、平面視において補強板３０の開口３５内に収まるように、配置されている。中央後加熱コイル９は、その後側部分が補強板３０の後縁部３３の窪み３５に嵌るように、つまり、後縁部３３の第３補強部３３Ｃの前端縁に接近するように、配置されている。換言すれば、第３補強部３３Ｃは、補強板３０において、中央後加熱コイル９の後側に相当する部分である。
【００３６】
後縁部３３において、中央後加熱コイル９に臨む縁には、図７に示すように、下方へ屈曲する下方屈曲部４０が備えられている。
加熱調理器１が動作している間では、上述したように、外気が、冷却風として、図示した太い実線の矢印で示すように、送風装置１９によって右通風口２１および右貫通穴３８（図４および図５参照）からフレーム３内に吸い込まれ、下側空間１３の右領域１６の制御回路基板１８を冷却する。その後、この冷却風は、上側空間６に流入して、図示した太い破線の矢印で示すように、左加熱コイル７、右加熱コイル８および中央後加熱コイル９を冷却する。ここで、中央後加熱コイル９を冷却せずに中央後加熱コイル９の後方へ至った冷却風（冷却用の空気）は、補強板３０の下方屈曲部４０に当たることによって、中央後加熱コイル９へ導かれる。これにより、中央後加熱コイル９を良好に冷却することができる。そして、これらの加熱コイルを冷却した冷却風は、図示した太い１点鎖線の矢印で示すように、左貫通穴３７および左通風口２０（図４および図５参照）から機外へ排出される。
【００３７】
ここで、上述したように、中央後加熱コイル９が補強板３０の後縁部３３（第３補強部３３Ｃ）に接近している。そのため、中央後加熱コイル９を駆動させたときに発生した熱（中央後加熱コイル９から生じた熱だけでなく、中央後加熱コイル９によって加熱された容器からの熱も含まれる。）は、補強板３０の後縁部３３の第３補強部３３Ｃに伝わる。換言すれば、この熱が、補強板３０の第３補強部３３Ｃで受けられる。第３補強部３３Ｃに伝わった熱は、後縁部３３において第３補強部３３Ｃに連続する第１補強部３３Ａおよび第２補強部３３Ｂに伝わる。そして、第１補強部３３Ａに伝わった熱は、左貫通穴３７および左通風口２０の縁部（図４および図５参照）へ伝えられ、左貫通穴３７および左通風口２０を流れる冷却風（図示した太い１点鎖線の矢印参照）によって冷却される。第２補強部３３Ｂに伝わった熱は、右貫通穴３８右通風口２１の縁部（図４および図５参照）へ伝えられ、右通風口２１および右貫通穴３８を流れる冷却風（図示した太い実線の矢印参照）によって冷却される。つまり、中央後加熱コイル９を駆動させたときに発生した熱が、補強板３０の後縁部３３（第３補強部３３Ｃ）で受けられた後に、後縁部３３によって左通風口２０および右通風口２１（図４および図５参照）の縁部へ伝えられ、左通風口２０および右通風口２１を流れる冷却風に冷却される。そのため、天板４の後縁部に近接配置された中央後加熱コイル９を駆動させたときに生じた熱がキッチンにおける天板４の後側部分に漏れ伝わることを防止できる。
【００３８】
ここで、上述したように、図４および図５に示す額縁状の補強板３０において、天板４の下面の後縁部に取り付けられ、中央後加熱コイル９の後側に相当する部分の枠（後縁部３３の第３補強部３３Ｃ）の幅が、天板４の下面の前縁部に取り付けられる枠（前縁部３１）の幅に比べて幅広である。そのため、第３補強部３３Ｃでは、中央後加熱コイル９が生じた熱を効果的に受けて左通風口２０の縁部および右通風口２１の縁部へ伝えることができる（図６参照）。
【００３９】
この発明は、以上の実施形態の内容に限定されるものではなく、請求項記載の範囲内において種々の変更が可能である。
たとえば、額縁状の補強板３０を例示したが、上述した後縁部３３があれば、補強板３０は額縁状でなくてもよい。
また、上記の実施形態では、右通風口２１から冷却風を吸い込んで左通風口２０で排出したが（図７参照）、左通風口２０から冷却風を吸い込んで右通風口２１で排出するように構成してもよい。
【００４０】
また、送風装置１９によって冷却風を左通風口２０から強制排気しているが、送風装置１９を用いずに自然排気してもよい。
【図面の簡単な説明】
【００４１】
【図１】加熱調理器１を正面右上から見た斜視図である。
【図２】図１に示す加熱調理器１の正断面図である。
【図３】天板４を正面右上から見た斜視図である。
【図４】補強板３０の平面図である。
【図５】図４に変形例を適用した図である。
【図６】天板４を取り外した状態における加熱調理器１の平面図である。
【図７】天板４およびカバー２２が取り外された状態にある加熱調理器１を背面右上から見た斜視図であって、一部を断面で示している。
【符号の説明】
【００４２】
１      加熱調理器
４      天板
４Ｃ    第３部
７      左加熱コイル
８      右加熱コイル
９      中央後加熱コイル
１９    送風装置
２０    左通風口
２１    右通風口
２２    カバー
３０    補強板
３１    前縁部
３３Ｃ  第３補強部
４０    下方屈曲部
【図１】
2009152101.tif 000003
【図２】
2009152101.tif 000004
【図３】
2009152101.tif 000005
【図４】
2009152101.tif 000006
【図５】
2009152101.tif 000007
【図６】
2009152101.tif 000008
【図７】
2009152101.tif 000009